(57)【要約】      （修正有）【課題】使用後に悪臭が発生しにくいトイレ用敷材、及びそれが敷設されたトイレを提供する。【解決手段】トイレ用敷材３は、粒状体３０からなる。粒状体３０は、溶融スラグの粉砕物を主材料としている。トイレ用敷材３は、本体部１０から抜き差しすることができる、引出部１４に収容されている吸収性シート２０の上に直接配設され、容器１０には蓋部５０を備えるトイレ１である。【選択図】図１
2016208975.tif 000002
【特許請求の範囲】
【請求項１】
粒状体からなるトイレ用敷材であって、
前記粒状体は、溶融スラグの粉砕物を主材料とすることを特徴とするトイレ用敷材。
【請求項２】
請求項１に記載のトイレ用敷材において、
前記溶融スラグは、紙類に由来するものであるトイレ用敷材。
【請求項３】
請求項１又は２に記載のトイレ用敷材において、
前記粒状体は、非水溶性の接着剤を含有しているトイレ用敷材。
【請求項４】
請求項１乃至３の何れかに記載のトイレ用敷材において、
前記粒状体は、脱臭剤又は消臭剤を含有しているトイレ用敷材。
【請求項５】
請求項１乃至４の何れかに記載のトイレ用敷材において、
前記粒状体は、香料を含有しているトイレ用敷材。
【請求項６】
請求項１乃至５の何れかに記載のトイレ用敷材において、
前記粒状体は、抗菌剤を含有しているトイレ用敷材。
【請求項７】
請求項１乃至６の何れかに記載のトイレ用敷材において、
前記粒状体は、染料又は顔料を含有しているトイレ用敷材。
【請求項８】
請求項１乃至７の何れかに記載のトイレ用敷材において、
前記溶融スラグの粉砕物は、全て、スクリーンの目開きが３ｍｍ以下である粉砕機を用いて粉砕されたものであるトイレ用敷材。
【請求項９】
請求項１乃至７の何れかに記載のトイレ用敷材において、
前記溶融スラグの粉砕物は、スクリーンの目開きが３ｍｍ以下である粉砕機を用いて粉砕されたものと、スクリーンの目開きが３ｍｍ超５ｍｍ以下である粉砕機を用いて粉砕されたものとからなるトイレ用敷材。
【請求項１０】
請求項１乃至７の何れかに記載のトイレ用敷材において、
前記溶融スラグの粉砕物は、スクリーンの目開きが２ｍｍ以下である粉砕機を用いて粉砕されたものと、スクリーンの目開きが２ｍｍ超３ｍｍ以下である粉砕機を用いて粉砕されたものと、スクリーンの目開きが３ｍｍ超５ｍｍ以下である粉砕機を用いて粉砕されたものとからなるトイレ用敷材。
【請求項１１】
請求項１乃至１０の何れかに記載のトイレ用敷材において、
前記粒状体の表面には、凹部が形成されているトイレ用敷材。
【請求項１２】
請求項１１に記載のトイレ用敷材において、
前記凹部内には、機能性物質が保持されているトイレ用敷材。
【請求項１３】
請求項１１又は１２に記載のトイレ用敷材において、
前記凹部の深さは、１ｍｍ以上１０ｍｍ以下であるトイレ用敷材。
【請求項１４】
請求項１１乃至１３の何れかに記載のトイレ用敷材において、
前記粒状体の前記表面における前記凹部の径は、１ｍｍ以上３ｍｍ以下であるトイレ用敷材。
【請求項１５】
請求項１１乃至１４の何れかに記載のトイレ用敷材において、
前記粒状体の前記表面における前記凹部の径は、当該凹部の最大径よりも小さいトイレ用敷材。
【請求項１６】
請求項１１乃至１５の何れかに記載のトイレ用敷材において、
前記粒状体の前記表面には、複数の前記凹部が形成されているトイレ用敷材。
【請求項１７】
請求項１６に記載のトイレ用敷材において、
前記複数の凹部は、前記粒状体の前記表面上に規則的に配列されているトイレ用敷材。
【請求項１８】
請求項１６又は１７に記載のトイレ用敷材において、
前記複数の凹部は、前記粒状体の前記表面の略全体にわたって点在しているトイレ用敷材。
【請求項１９】
請求項１乃至１８の何れかに記載のトイレ用敷材において、
前記粒状体に占める前記溶融スラグの粉砕物の重量割合は、６０％以上であるトイレ用敷材。
【請求項２０】
請求項１９に記載のトイレ用敷材において、
前記重量割合は、８０％以上であるトイレ用敷材。
【請求項２１】
請求項１乃至２０の何れかに記載のトイレ用敷材において、
当該トイレ用敷材は、複数の前記粒状体からなり、
前記複数の粒状体は、第１の直径を有する第１の粒状体と、前記第１の直径よりも小さい第２の直径を有する第２の粒状体とを含むトイレ用敷材。
【請求項２２】
請求項２１に記載のトイレ用敷材において、
前記第１の直径は、３０ｍｍ以下であるトイレ用敷材。
【請求項２３】
請求項２１又は２２に記載のトイレ用敷材において、
前記第２の直径は、３ｍｍ以上であるトイレ用敷材。
【請求項２４】
請求項２１乃至２３の何れかに記載のトイレ用敷材において、
前記複数の粒状体は、前記第１の直径よりも小さくかつ前記第２の直径よりも大きい第３の直径を有する第３の粒状体を含むトイレ用敷材。
【請求項２５】
底面部及び側面部を有し、尿が排泄される容器と、
前記容器内に配設された、請求項１乃至２４の何れかに記載のトイレ用敷材と、
を備えることを特徴とするトイレ。
【請求項２６】
請求項２５に記載のトイレにおいて、
前記容器内に配設された吸水性シートを備え、
前記トイレ用敷材は、前記吸水性シート上に直接配設されているトイレ。
【請求項２７】
請求項２６に記載のトイレにおいて、
前記容器は、前記底面部及び前記側面部を有する本体部と、前記吸水性シートが収容される引出部とを有しており、
前記本体部の前記側面部には、第１の開口部が形成されており、
前記引出部は、前記第１の開口部を通じて前記本体部に対して抜き挿しすることが可能であるトイレ。
【請求項２８】
請求項２７に記載のトイレにおいて、
前記引出部の前板の上端の高さは、当該引出部に収容された前記吸水性シートの上面の高さに略等しいトイレ。
【請求項２９】
請求項２７又は２８に記載のトイレにおいて、
前記引出部が前記本体部に挿入されているときは前記第１の開口部を開放し、前記引出部が前記本体部から引き抜かれた後は前記第１の開口部を閉塞する開閉部を備えるトイレ。
【請求項３０】
請求項２７乃至２９の何れかに記載のトイレにおいて、
前記吸水性シート及び前記トイレ用敷材が前記容器内に配設されたままの状態で、当該吸水性シートと当該トイレ用敷材との間に挿入される板状部材を備えるトイレ。
【請求項３１】
請求項３０に記載のトイレにおいて、
前記本体部の前記側面部には、第２の開口部が形成されており、
前記板状部材は、前記第２の開口部を通じて前記本体部に対して抜き挿しすることが可能であるトイレ。
【請求項３２】
請求項２５に記載のトイレにおいて、
前記側面部には、前記尿を通過させる第３の開口部が設けられており、
前記底面部は、前記容器に排泄された前記尿が前記第３の開口部まで流れるように傾斜しているトイレ。
【請求項３３】
請求項３２に記載のトイレにおいて、
前記底面部は、全体が傾斜しているトイレ。
【請求項３４】
請求項３２又は３３に記載のトイレにおいて、
前記第３の開口部の底面は、前記容器の外側に向かって下方に傾斜しているトイレ。
【請求項３５】
請求項２５乃至３４の何れかに記載のトイレにおいて、
前記側面部の内面から前記容器の内側に張り出すように設けられ、前記尿からの臭気の上昇を遮断する遮蔽部材を備えるトイレ。
【請求項３６】
請求項３５に記載のトイレにおいて、
前記遮蔽部材は、前記容器の内側に向かって下方に傾斜しているトイレ。
【請求項３７】
請求項３５又は３６に記載のトイレにおいて、
前記遮蔽部材の一部は、下方に屈曲しているトイレ。
【請求項３８】
請求項２５乃至３７の何れかに記載のトイレにおいて、
前記容器を上方から覆う蓋部を備えるトイレ。
【発明の詳細な説明】
【技術分野】
【０００１】
本発明は、粒状のトイレ用敷材、及びそれが敷設されたトイレに関する。
【背景技術】
【０００２】
従来のトイレ用敷材としては、例えば特許文献１に記載されたものがある。同文献に記載のトイレ用敷材は、複数の低吸水性の粒状体からなり、動物用のトイレに敷設されている。このトイレは仕切部材（簀子）により上下に区画されており、仕切部材の上部空間に複数の粒状体が敷設されている。仕切部材の下部空間には、吸水性シートが配設されている。かかる構成のトイレにおいて、動物の尿は、粒状体どうしの間、及び仕切部材を通過した後、吸水性シートに吸収される。
【先行技術文献】
【特許文献】
【０００３】
【特許文献１】特開２００３−１８０１８２号公報
【発明の概要】
【発明が解決しようとする課題】
【０００４】
上述の粒状体は、低いながらも吸水性を有している。粒状体に吸収された尿は、当該粒状体の内部に残留し、悪臭発生の原因となる。それゆえ、使用後の粒状体からの悪臭を防止する上では、粒状体の吸水性を極力低くした方が有利である。
【０００５】
この点、特許文献１に記載されたトイレ用敷材において、粒状体は、木材等の植物由来の材料を主材料としている。かかる植物由来の材料は、それ自体が高い吸水性を有するものである。このように高い吸水性を有する材料を用いた場合、粒状体の吸水性を低くするにも限界がある。
【０００６】
本発明は、上記課題に鑑みてなされたものであり、使用後に悪臭が発生しにくいトイレ用敷材、及びそれが敷設されたトイレを提供することを目的とする。
【課題を解決するための手段】
【０００７】
本発明によるトイレ用敷材は、粒状体からなるトイレ用敷材であって、上記粒状体は、溶融スラグの粉砕物を主材料とすることを特徴とする。
【０００８】
このトイレ用敷材においては、粒状体の主材料として、溶融スラグの粉砕物が用いられている。溶融スラグは、吸水性が極めて低い材料である。このため、溶融スラグを主材料として用いることにより、粒状体の吸水性を充分に低くすることができる。
【発明の効果】
【０００９】
本発明によれば、使用後に悪臭が発生しにくいトイレ用敷材、及びそれが敷設されたトイレが実現される。
【図面の簡単な説明】
【００１０】
【図１】本発明によるトイレの第１実施形態を示す端面図である。
【図２】図１のトイレの本体部を示す端面図である。
【図３】図１のトイレの本体部を示す正面図である。
【図４】図１のトイレの引出部を示す斜視図である。
【図５】本発明によるトイレ用敷材の一実施形態を示す正面図である。
【図６】図５のVI−VI線に沿った端面図である。
【図７】図１のトイレの開閉部の構造を説明するための端面図である。
【図８】図１のトイレの使用時の状態を示す端面図である。
【図９】図１のトイレの効果を説明するための端面図である。
【図１０】本発明によるトイレの第２実施形態を示す端面図である。
【図１１】図１０のトイレの本体部を示す背面図である。
【図１２】図１０のトイレの板状部材を示す平面図である。
【図１３】図１０のトイレの使用時の状態を示す端面図である。
【図１４】本発明によるトイレの第３実施形態を示す斜視図である。
【図１５】図１４のトイレにおける本体容器７０を示す平面図である。
【図１６】図１５のXVI−XVI線に沿った端面図である。
【図１７】図１５のXVII−XVII線に沿った端面図である。
【図１８】図１５のXVIII−XVIII線に沿った端面図である。
【図１９】使用時の本体容器７０を示す端面図である。
【図２０】本体容器７０の横に尿溜容器８０が設置された状態を示す端面図である。
【図２１】本体容器７０に尿溜容器８０を着脱可能に固定するための構造の一例を説明するための図である。
【図２２】本体容器７０に尿溜容器８０を着脱可能に固定するための構造の一例を説明するための図である。
【図２３】使用時の尿溜容器８０を示す端面図である。
【図２４】収容袋９２を示す正面図である。
【図２５】凹部の一変形例を説明するための図である。
【図２６】粒状体の一変形例を説明するための図である。
【図２７】粒状体の他の変形例を説明するための図である。
【図２８】本体容器７０の一変形例を説明するための図である。
【図２９】図２８の遮蔽部材９４の構造を説明するための図である。
【図３０】図２８の遮蔽部材９６の構造を説明するための図である。
【発明を実施するための形態】
【００１１】
以下、図面を参照しつつ、本発明の実施形態について詳細に説明する。なお、図面の説明においては、同一要素には同一符号を付し、重複する説明を省略する。
（第１実施形態）
【００１２】
図１は、本発明によるトイレの第１実施形態を示す端面図である。トイレ１は、動物又は人用のトイレであって、トイレ用敷材３、容器１０、及び吸水性シート２０を備えている。容器１０は、底面部１０ａ及び側面部１０ｂを有している。本実施形態において容器１０は、略直方体状をしている。この容器１０は、本体部１２及び引出部１４を有している。
【００１３】
図２及び図３は、それぞれ本体部１２を示す端面図及び正面図である。本体部１２は、底面部１０ａ及び側面部１０ｂを有する箱状の部分である。本体部１２の側面部１０ｂには、開口部１６（第１の開口部）が形成されている。開口部１６は、底面部１０ａの近傍に位置し、矩形状をしている。開口部１６の左右方向の長さは、本体部１２の内側の横幅に略等しい。また、開口部１６の上下方向の長さｄ１（図３参照）は、１５ｍｍ以下であることが好ましい。本体部１２の材料としては、例えば、ポリプロピレン、ポリエチレン等の樹脂を用いることができる。
【００１４】
図４は、引出部１４を示す斜視図である。引出部１４は、開口部１６を通じて本体部１２に対して抜き挿しすることが可能である。引出部１４は、底板１４ａ、前板１４ｂ、先板１４ｃ、及び一対の側板１４ｄを有している。底板１４ａの大きさは、本体部１２の底面部１０ａの大きさに略等しい。前板１４ｂは、開口部１６と略同一の形状及び大きさをしている。前板１４ｂには、把手１８が取り付けられている。引出部１４の材料としては、例えば、ポリプロピレン、ポリエチレン等の樹脂を用いることができる。
【００１５】
図１に戻って、容器１０内には、吸水性シート２０が配設されている。この吸水性シート２０は、尿を吸収するためのシートである。吸水性シート２０は、引出部１４に収容された状態で容器１０内に配設されている。このとき、吸水性シート２０は、両面テープ等によって底板１４ａに固定されていてもよい。引出部１４の前板１４ｂの上端の高さは、図１に示すように、引出部１４に収容された吸水性シート２０の上面の高さに略等しいことが好ましい。
【００１６】
容器１０内には、更にトイレ用敷材３が配設されている。トイレ用敷材３は、吸水性シート２０上に直接配設されている。このトイレ用敷材３は、複数の粒状体３０からなる。各粒状体３０は、水分を全く吸収しないか、殆ど吸収しない性質を有する。各粒状体３０の吸水率は、３％未満であることが好ましく、１％未満であることがより好ましい。吸水率は、次のようにして測定される。まず、粒状体３０の重量Ｍ１を測定する。次に、３５±２℃に保った水中に粒状体３０を入れる。１０秒後、粒状体３０を水から取り出す。粒状体３０の表面に付着した水分を拭き取った後、当該粒状体３０の重量Ｍ２を測定する。そして、Ｍ１及びＭ２の値から吸水率を求める。すなわち、（Ｍ２−Ｍ１）／Ｍ１×１００を計算することにより、粒状体３０の吸水率を求めることができる。
【００１７】
各粒状体３０は、溶融スラグの粉砕物を主材料としている。ここで、主材料とは、各粒状体３０を構成する材料のうち、当該粒状体３０に占める重量割合が最大のものをいう。各粒状体３０に占める溶融スラグの重量割合は、６０％以上であることが好ましく、８０％以上であることがより好ましい。粒状体３０は、例えば、溶融スラグの粉砕物を主材料とする構成材料（当該粒状体３０を構成する材料）を造粒することにより得られる。
【００１８】
溶融スラグは、廃棄物等ないしその焼却灰を高温（例えば１３００℃以上）で溶融した後に冷却固化したものである。本実施形態において溶融スラグは、紙類に由来するものである。すなわち、この溶融スラグは、紙類の廃棄物ないしその焼却灰を高温で溶融した後に冷却固化したものである。紙類は、パルプを主体とする材料である。紙類としては、例えば、通常の紙の他にも、製紙スラッジ、パルプスラッジ等が挙げられる。
【００１９】
溶融スラグの粉砕物は、スクリーンの目開きが３ｍｍ以下である粉砕機を用いて粉砕されたものであることが好ましい。すなわち、溶融スラグの粉砕物は、３ｍｍ以下の粒度を有することが好ましい。溶融スラグの粉砕物の全てがスクリーンの目開きが３ｍｍ以下である粉砕機を用いて粉砕されたものであってもよいし、当該粉砕物の一部のみがスクリーンの目開きが３ｍｍ以下である粉砕機を用いて粉砕されたものであってもよい。後者の場合、溶融スラグの粉砕物は、例えば、スクリーンの目開きが３ｍｍ以下である粉砕機を用いて粉砕されたものと、スクリーンの目開きが３ｍｍ超５ｍｍ以下である粉砕機を用いて粉砕されたものとからなっていてもよい。あるいは、溶融スラグの粉砕物は、スクリーンの目開きが２ｍｍ以下である粉砕機を用いて粉砕されたものと、スクリーンの目開きが２ｍｍ超３ｍｍ以下である粉砕機を用いて粉砕されたものと、スクリーンの目開きが３ｍｍ超５ｍｍ以下である粉砕機を用いて粉砕されたものとからなっていてもよい。
【００２０】
各粒状体３０は、接着剤を含有している。接着剤は、非水溶性であることが好ましい。各粒状体３０の内部には、脱臭剤、消臭剤、芳香剤（香料）、抗菌剤等が含有されていてもよい。また、各粒状体３０の内部には、染料又は顔料が含有されていてもよい。なお、粒状体３０の「内部」とは、当該粒状体３０の外に露出していない部分をいい、後述する凹部３１はこれに含まれない。
【００２１】
図５は、粒状体３０を示す正面図である。また、図６は、図５のVI−VI線に沿った端面図である。粒状体３０の表面には、凹部３１が形成されている。本実施形態においては、粒状体３０の表面に、複数の凹部３１が形成されている。複数の凹部３１は、粒状体３０の表面上に規則的に配列されている。凹部３１は、粒状体３０の表面の略全体にわたって点在している。各凹部３１の深さは、１ｍｍ以上１０ｍｍ以下であることが好ましい。また、粒状体３０の表面における凹部３１の径は、１ｍｍ以上３ｍｍ以下であることが好ましい。なお、図１においては、凹部３１の図示を省略している。
【００２２】
凹部３１内には、機能性物質（図示せず）が保持されている。機能性物質は、容器１０内の空気又は尿に所定の作用を及ぼす物質である。機能性物質としては、例えば、脱臭剤、消臭剤、芳香剤、抗菌剤等が挙げられる。機能性物質は、液体状であってもよいし、固体状であってもよい。かかる機能性物質は、例えば凹部３１内に注入することにより、当該凹部３１内に供給することができる。
【００２３】
本実施形態において粒状体３０は、球形である。すなわち、粒状体３０は、表面に凹部３１を有する球形をしている。粒状体３０の直径は、例えば３ｍｍ以上３０ｍｍ以下である。
【００２４】
トイレ１は、開閉部４０及び蓋部５０を更に備えている。開閉部４０は、引出部１４が本体部１２に挿入されているときは、開口部１６を開放する（図１参照）。これに対し、引出部１４が本体部１２から引き抜かれた後は、図７に示すように、開口部１６を閉塞する。すなわち、開閉部４０は、引出部１４が本体部１２に挿入されていないときは略鉛直な状態にあるのに対し、引出部１４が本体部１２に挿入されるときは引出部１４に押し上げられて略水平の状態になる。本実施形態において開閉部４０は、開口部１６の上辺を軸として回動可能な板状部材（第１の板状部材）からなる。かかる開閉部４０は、例えば蝶番を介して、開口部１６の上辺に取り付けられている。開閉部４０の材料としては、例えば、ポリプロピレン、ポリエチレン等の樹脂を用いることができる。
【００２５】
蓋部５０は、容器１０を上方から覆う部分である。蓋部５０は、開閉可能に設けられている。トイレ１は、図８に示すように、蓋部５０が開けられた状態で使用される。蓋部５０が閉じられた状態では、容器１０内は密閉される。蓋部５０の材料としては、例えば、ポリプロピレン、ポリエチレン等の樹脂を用いることができる。
【００２６】
本実施形態の効果を説明する。トイレ用敷材３においては、粒状体３０の主材料として、溶融スラグの粉砕物が用いられている。溶融スラグは、吸水性が極めて低い材料である。このため、溶融スラグを主材料として用いることにより、粒状体３０の吸水性を充分に低くすることができる。したがって、使用後に悪臭が発生しにくいトイレ用敷材３、及びそれが敷設されたトイレ１が実現されている。
【００２７】
上述のように、溶融スラグは、吸水性が極めて低い材料である。それゆえ、粒状体３０に占める溶融スラグの重量割合を大きくした方が、粒状体３０の吸水性を低くするのに有利である。かかる観点から、粒状体３０に占める溶融スラグの重量割合は、６０％以上であることが好ましく、８０％以上であることがより好ましい。
【００２８】
溶融スラグは、紙類に由来している。紙類は吸水性を有する材料であるが、溶融スラグ化することにより、その吸水性を著しく低くすることができる。このため、元々吸水性を有する材料であっても、粒状体３０の主材料として好適に用いることが可能となる。ただし、溶融スラグが紙類に由来するものであることは、必須でない。溶融スラグは、紙類以外の物質に由来するものであってもよい。
【００２９】
溶融スラグを微細に粉砕した方が、粉砕物を高密度に凝集させやすくなる。すなわち、粉砕物どうしの間に隙間が生じにくくなる。かかる隙間は、粒状体３０の内部に尿が浸入する経路となり得る。それゆえ、溶融スラグを微細に粉砕することは、粒状体３０の内部に尿が浸入しにくくするのに有利である。かかる観点から、溶融スラグの粉砕物は、全て、スクリーンの目開きが３ｍｍ以下である粉砕機を用いて粉砕されたものであることが好ましい。  
【００３０】
溶融スラグの粉砕物が、スクリーンの目開きが３ｍｍ以下である粉砕機を用いて粉砕されたもの（第１の粉砕物）と、スクリーンの目開きが３ｍｍ超５ｍｍ以下である粉砕機を用いて粉砕されたもの（第２の粉砕物）とからなる場合、第２の粉砕物どうしの隙間に、比較的小さい粒度を有する第１の粉砕物が入り込むことになる。これにより、溶融スラグの粉砕物が第２の粉砕物のみからなる場合に比して、当該粉砕物を高密度に凝集させやすくなる。
【００３１】
溶融スラグの粉砕物が、スクリーンの目開きが２ｍｍ以下である粉砕機を用いて粉砕されたもの（第１の粉砕物）と、スクリーンの目開きが２ｍｍ超３ｍｍ以下である粉砕機を用いて粉砕されたもの（第２の粉砕物）と、スクリーンの目開きが３ｍｍ超５ｍｍ以下である粉砕機を用いて粉砕されたもの（第３の粉砕物）とからなる場合、第３の粉砕物どうしの隙間に、第２の粉砕物が入り込むことになる。また、第２の粉砕物どうしの隙間や、第２の粉砕物と第３の粉砕物との間の隙間に、第１の粉砕物が入り込むことになる。これにより、溶融スラグの粉砕物が第３の粉砕物のみからなる場合、あるいは第２及び第３の粉砕物のみからなる場合に比して、当該粉砕物を高密度に凝集させやすくなる。
【００３２】
粒状体３０は、接着剤を含有している。接着剤がバインダーとして機能することにより、溶融スラグの粉砕物等を粒状に成形しやすくなる。特に接着剤が非水溶性である場合、尿を受けても粒状体３０が崩壊しにくくなる。ただし、粒状体３０が接着剤を含有することは、必須でない。粒状体３０は、接着剤を含有していなくてもよい。
【００３３】
粒状体３０が脱臭剤又は消臭剤を含有する場合、粒状体３０の内部に尿が浸入した場合であっても、当該尿に起因する悪臭を除去することができる。また、粒状体３０が芳香剤を含有する場合、粒状体３０の内部に尿が浸入した場合であっても、当該尿に起因する悪臭をマスキングすることができる。
【００３４】
粒状体３０が抗菌剤を含有する場合、粒状体３０の内部に尿が浸入した場合であっても、当該尿に起因する雑菌の繁殖を抑えることができる。また、粒状体３０が染料又は顔料を含有する場合、溶融スラグの色とは異なる色に粒状体３０を着色し、それにより粒状体３０の美観を高めることができる。
【００３５】
さらに、粒状体３０の表面には、凹部３１が形成されている。この凹部３１内に各種の機能性物質を保持させることにより、所望の機能を有する粒状体３０を容易に得ることができる。実際、本実施形態において凹部３１内には、機能性物質が保持されている。機能性物質が脱臭剤又は消臭剤である場合、粒状体３０に尿が付着した場合であっても、当該尿に起因する悪臭を除去することができる。機能性物質が芳香剤である場合、粒状体３０に尿が付着した場合であっても、当該尿に起因する悪臭をマスキングすることができる。また、機能性物質が抗菌剤である場合、粒状体３０に尿が付着した場合であっても、当該尿に起因する雑菌の繁殖を抑えることができる。
【００３６】
凹部３１の深さが大きい方が、凹部３１内に多量の機能性物質を保持させることができる。その一方で、深さが大きすぎると、粒状体３０の機械的強度が低下してしまう。かかる観点から、凹部３１の深さは、１ｍｍ以上１０ｍｍ以下であることが好ましい。
【００３７】
凹部３１の入口の径、すなわち粒状体３０の表面における凹部３１の径を小さくすることにより、機能性物質が凹部３１の外に漏れにくくなる。凹部３１の径が小さい場合、表面張力により液体状の機能性物質が凹部３１の内部に留まりやすくなるからである。その一方で、径が小さすぎると、凹部３１内に機能性物質を入れるのが困難になってしまう。かかる観点から、粒状体３０の入口の径は、１ｍｍ以上３ｍｍ以下であることが好ましい。
【００３８】
粒状体３０の表面には、複数の凹部３１が形成されている。これにより、個々の凹部３１を小さくしても、粒状体３０全体として多量の機能性物質を保持することができる。
【００３９】
複数の凹部３１は、粒状体３０の表面上に規則的に配列されている。この場合、凹部３１の配列が不規則である場合に比して、粒状体３０の成形が容易になるとともに、粒状体３０の美観を高めることができる。ただし、複数の凹部３１が規則的に配列されることは、必須でない。複数の凹部３１は、不規則的に配列されていてもよい。
【００４０】
凹部３１は、粒状体３０の表面の略全体にわたって点在している。これにより、粒状体３０がどの方向から尿を浴びても、機能性物質の作用を充分に発揮させることができる。
【００４１】
粒状体３０は、球形である。この場合、吸水性シート２０上に複数の粒状体３０を高密度に敷設することができる。これにより、尿を吸収した吸水性シート２０から悪臭が発生した場合であっても、その悪臭を粒状体３０によって遮断し、容器１０の上方に悪臭が漂うのを抑制することができる。
【００４２】
トイレ１の使用時、トイレ用敷材３上に排泄された尿は、隣り合う粒状体３０どうしの隙間を縫うように下方へと流れて、吸水性シート２０に達する。吸水性シート２０に達した尿は、吸水性シート２０によって吸収される。このとき、粒状体３０の内部には、尿が全く浸入しないか、殆ど浸入しない。それゆえ、粒状体３０は、尿を受けても崩壊しない。
【００４３】
これに対し、従来の粒状体は、尿を受けた際に、その一部又は全体が崩壊することがある。崩壊した粒状体が吸水性シートに付着すると、吸水性シートが汚れ、その吸水能力の低下につながってしまう。そのため、粒状体及び吸水性シートが配設される従来のトイレにおいては、仕切部材を設けて、粒状体と吸水性シートとを隔離する必要があった。しかしながら、このように仕切部材を設けることは、トイレの構造を複雑化させる要因となる。
【００４４】
この点、トイレ１においては、粒状体３０が崩壊しないため、粒状体３０と吸水性シート２０とを隔離しなくても、吸水性シート２０の吸水能力の低下を防ぐことができる。実際、粒状体３０は、吸水性シート２０上に直接配設されている。このため、トイレ１においては、使用時に粒状体３０と吸水性シート２０とを隔離する仕切部材を設ける必要がない。したがって、粒状体３０及び吸水性シート２０の双方が配設されるにもかかわらず、仕切部材が不要なトイレ１が実現されている。
【００４５】
トイレ１には、開口部１６を通じて本体部１２に対して抜き挿しすることが可能な引出部１４が設けられている。これにより、使用済みの吸水性シート２０を新しいものと容易に交換することができる。
【００４６】
引出部１４の前板１４ｂは、開口部１６と略同一の形状及び大きさをしている。これにより、開口部１６の全体が前板１４ｂによって塞がれるため、開口部１６を通じて尿が容器１０の外に漏れるのを防ぐことができる。
【００４７】
引出部１４の前板１４ｂの上端の高さが引出部１４に収容された吸水性シート２０の上面の高さに略等しい場合、引出部１４を本体部１２から引き抜く際、吸水性シート２０の上面と開口部１６との間に隙間が生じない。このため、開口部１６を通じて粒状体３０が容器１０の外に出たり、吸水性シート２０の上面と開口部１６との間に挟まったりするのを防ぐことができる。
【００４８】
開口部１６の長さｄ１（図３参照）を小さくすることにより、粒状体３０が容器１０の外に出にくくなる。かかる観点から、長さｄ１は、１５ｍｍ以下であることが好ましい。
【００４９】
トイレ１には、開閉部４０が設けられている。これにより、引出部１４が本体部１２から引き抜かれた後、開口部１６が閉塞されるため、粒状体３０が容器１０の外に出るのを防ぐことができる。
【００５０】
開閉部４０は、開口部１６の上辺を軸として回動可能な板状部材からなる。これにより、引出部１４が本体部１２に挿入されているときは開口部１６を開放し、引出部１４が本体部１２から引き抜かれた後は開口部１６を閉塞する開閉部４０を、簡易な構造で実現することができる。
【００５１】
容器１０を上方から覆う蓋部５０が設けられている。トイレ１を使用しないときに蓋部５０を閉じておくことにより、容器１０内で悪臭が発生した場合であっても、その悪臭が容器１０の外に漏れるのを防ぐことができる。また、吸水性シート２０を交換する際、図９に示すように蓋部５０を閉じてから容器１０を逆さまにすることにより、粒状体３０を吸水性シート２０から隔離し、引出部１４の抜き挿しを円滑に行うことができる。
（第２実施形態）
【００５２】
図１０は、本発明によるトイレの第２実施形態を示す端面図である。トイレ２は、動物又は人用のトイレであって、トイレ用敷材３、容器１０、及び吸水性シート２０に加えて、板状部材６０（第２の板状部材）を備えている。トイレ用敷材３及び吸水性シート２０の構成は、第１実施形態で説明したとおりである。
【００５３】
図１１は、本実施形態の本体部１２を示す背面図である。本体部１２の側面部１０ｂには、開口部１７（第２の開口部）が形成されている。開口部１７は、開口部１６とは反対側に設けられている。開口部１７の左右方向の長さは、本体部１２の内側の横幅に略等しい。また、開口部１７の下辺の高さは、開口部１６の上辺の高さに略等しい。開口部１７にも、開閉部４０と同様の機能を有する開閉部（図示せず）が設けられている。本体部１２のその他の構成は、第１実施形態で説明したとおりである。
【００５４】
図１２は、板状部材６０を示す平面図である。板状部材６０には、複数の孔６２が形成されている。本実施形態において板状部材６０は、金網であり、その網目が孔６２を構成している。孔６２は、トイレ用敷材３（粒状体３０）を通過させない大きさをしている。板状部材６０は、後述するように吸水性シート２０とトイレ用敷材３との間に介在したときに、本体部１２の底面部１０ａの略全体を覆う大きさをしている。板状部材６０の厚みは、５ｍｍ以下であることが好ましい。
【００５５】
この板状部材６０は、開口部１７を通じて本体部１２に対して抜き挿しすることが可能である。トイレ２は、図１３に示すように、板状部材６０が本体部１２から引き抜かれた状態で使用される。トイレ２を使用しないときは、必要に応じて板状部材６０が本体部１２に挿入される。このとき、板状部材６０は、吸水性シート２０及びトイレ用敷材３が容器１０内に配設されたままの状態で、吸水性シート２０とトイレ用敷材３との間に挿入される。それにより、吸水性シート２０とトイレ用敷材３との間に板状部材６０が介在した状態（図１０参照）となる。
【００５６】
本実施形態の効果を説明する。トイレ２においては、板状部材６０が設けられている。吸水性シート２０の交換に先立って板状部材６０を本体部１２に挿入しておくことにより、トイレ用敷材３を吸水性シート２０から隔離し、引出部１４の抜き挿しを円滑に行うことができる。
【００５７】
本体部１２の側面部１０ｂには、開口部１７が形成されている。これにより、容器１０内に吸水性シート２０及びトイレ用敷材３が配設されたままの状態でも、これらの間に板状部材６０を容易に挿入することができる。
【００５８】
板状部材６０には、孔６２が形成されている。これにより、引出部１４を本体部１２から引き抜いた後、板状部材６０上に粒状体３０が載置された状態で、粒状体３０の上から水を流すことができる。このため、容器１０内に収容したまま粒状体３０の洗浄を容易に行うことができる。
【００５９】
板状部材６０の厚みを小さくすることにより、板状部材６０を吸水性シート２０とトイレ用敷材３との間に挿入しやすくなる。かかる観点から、板状部材６０の厚みは、５ｍｍ以下であることが好ましい。
【００６０】
板状部材６０は、金網である。金網は、薄くしても充分な剛性を確保することができるため、吸水性シート２０とトイレ用敷材３との間に挿入しやすい板状部材６０を実現するのに適している。本実施形態のその他の効果は、第１実施形態と同様である。
（第３実施形態）
【００６１】
図１４は、本発明によるトイレの第３実施形態を示す斜視図である。トイレ７は、動物又は人用のトイレであって、本体容器７０（容器）、及び尿溜容器８０を備えている。本体容器７０は、箱状をしており、底面部７２及び側面部７４を有している。側面部７４には、開口部７６（第３の開口部）が設けられている。本体容器７０は、尿が排泄される便器として機能する。本体容器７０の材料としては、例えば、ポリプロピレン、ポリエチレン等の樹脂を用いることができる。
【００６２】
図１５は、本体容器７０を示す平面図である。同図からわかるように、底面部７２は、平面視で略矩形状をしている。これに伴い、本体容器７０には、４つの側面部７４が設けられている。本体容器７０の外形は、略直方体状をしている。
【００６３】
図１６、図１７及び図１８は、それぞれ、図１５のXVI−XVI線、XVII−XVII線及びXVIII−XVIII線に沿った端面図である。これらの図からわかるように、底面部７２は、本体容器７０に排泄された尿が開口部７６まで流れるように傾斜している。底面部７２は、開口部７６の底面に連続している。本実施形態においては、底面部７２の全体が傾斜している。底面部７２は、連続する複数の平面７２ａ，７２ｂ，７２ｃからなる。平面７２ａは、平面７２ｃに向かって下方に傾斜している。平面７２ｂも、平面７２ｃに向かって下方に傾斜している。また、平面７２ｃは、開口部７６に向かって下方に傾斜している。
【００６４】
図１４に戻って、開口部７６は、４つの側面部７４のうちの１つに設けられている。開口部７６は、横長の形状をしている。開口部７６の縦の長さ（側面部７４の上下方向についての長さ）は、例えば、３ｍｍ以上１０ｍｍ以下である。開口部７６の横の長さ（開口部７６が設けられた側面部７４の左右方向についての長さ）は、例えば、３０ｍｍ以上１００ｍｍ以下である。図１５に示すように、開口部７６の横の長さｗ１は、開口部７６が設けられた側面部７４の横幅（内寸）ｗ２よりも小さい。開口部７６の横の長さｗ１は、側面部７４の横幅ｗ２の３分の１以下であることが好ましい。
【００６５】
本体容器７０が載置される床面を基準としたとき、開口部７６の下端の高さｈ１（図１４参照）は、３０ｍｍ以上であることが好ましい。高さｈ１は、側面部７４の下端から開口部７６の下端までの距離に等しい。本実施形態において開口部７６は、側面部７４の端部に位置している。すなわち、開口部７６が設けられた側面部７４と隣り合う側面部７４の内面と同一平面上に、開口部７６の側端の一方が存在している。また、図１７からわかるように、開口部７６の底面は、本体容器７０の外側に向かって下方に傾斜している。換言すると、開口部７６の底面は、側面部７４の内面から外面に向かって下方に傾斜している。開口部７６は、本体容器７０内に排泄された尿を本体容器７０の外に排出する部分である。この開口部７６は、尿を通過させるが、後述する粒状体３０は通過させない。
【００６６】
図１９は、使用時の本体容器７０を示す端面図である。同図は、図１７と同様の端面を示している。図１９に示すように、トイレ７の使用時、本体容器７０内には、トイレ用敷材３が敷設される。トイレ用敷材３の構成は、第１実施形態で説明したとおりである。
【００６７】
図１４に戻って、トイレ７には、尿溜容器８０が設置される。尿溜容器８０は、開口部７６を通過した尿を溜める容器である。尿溜容器８０は、箱状をしており、底面部８２及び側面部８４を有している。底面部８２は、平面視で略矩形状をしている。これに伴い、尿溜容器８０には、４つの側面部８４が設けられている。尿溜容器８０の外形は、本体容器７０の外形と同様、略直方体状をしている。ただし、尿溜容器８０の体積は、本体容器７０の体積よりも小さい。また、底面部８２は、底面部７２と異なり、傾斜していない。
【００６８】
側面部８４には、開口部８６が設けられている。開口部８６は、開口部７６から排出された尿を尿溜容器８０内に流入させるように設けられている。開口部８６は、４つの側面部８４のうちの１つに設けられている。開口部８６は、開口部７６と略同一の形状及び大きさをしている。厳密には、側面部７４の外面における開口部７６の形状及び大きさと、側面部８４の外面における開口部８６の形状及び大きさとが略一致する。さらに、尿溜容器８０は、底面部８２及び側面部８４で囲まれた空間を上方から覆う蓋部８８を有している。蓋部８８は、開閉可能に設けられている。トイレ７の使用時、蓋部８８は閉じられる。蓋部８８が閉じられた状態では、尿溜容器８０内は、開口部８６を除いて密閉される。尿溜容器８０の材料としては、例えば、ポリプロピレン、ポリエチレン等の樹脂を用いることができる。
【００６９】
図２０は、本体容器７０の横に尿溜容器８０が設置された状態を示す端面図である。同図に示すように、トイレ７の使用時、尿溜容器８０は、開口部７６が設けられた側面部７４に対して略隙間なく接した状態で設置される。このとき、尿溜容器８０の開口部８６は、本体容器７０の開口部７６に重なる。本実施形態において開口部７６と開口部８６とは、互いに完全に重なり合う。すなわち、開口部７６の全体が開口部８６に重なるとともに、開口部８６の全体も開口部７６に重なる。側面部８４の上端は、開口部７６の上端よりも高い位置にある。開口部８６の底面は、尿溜容器８０の内側に向かって下方に傾斜している。換言すると、開口部８６の底面は、側面部８４の外面から内面に向かって下方に傾斜している。また、尿溜容器８０には、把手８９が設けられている。具体的には、把手８９は、開口部８６が設けられた側面部８４と対向する側面部８４に設けられている。
【００７０】
尿溜容器８０は、本体容器７０に対して着脱可能に固定されている。ここで、着脱可能とは、本体容器７０及び尿溜容器８０を損傷することなく、本体容器７０に対する尿溜容器８０の取付け及び取外しを容易に行えるということである。
【００７１】
かかる構成は、例えば図２１に示すように、側面部７４に突条７４ａを設けるとともに、側面部８４に溝８４ａを設けることにより実現することができる。同図は、側面部７４及び側面部８４を上から見た図である。突条７４ａは、側面部７４における側面部８４に対向する部分に設けられている。突条７４ａは、側面部７４から遠ざかるにつれて幅が広くなるテーパ状の断面形状を有しており、側面部７４の上下方向（図２１において紙面に垂直な方向）に延在している。他方、溝８４ａは、側面部８４における側面部７４に対向する部分に設けられている。溝８４ａは、側面部８４の内部に近づくにつれて幅が広くなるテーパ状の断面形状を有しており、側面部８４の上下方向に延在している。溝８４ａの断面は、突条７４ａの断面と略同一の形状及び大きさを有している。
【００７２】
本体容器７０に対して尿溜容器８０を上下方向にスライドさせて、図２２に示すように突条７４ａと溝８４ａとを嵌合させることにより、本体容器７０に尿溜容器８０を取り付けて固定することができる。また、本体容器７０に対して尿溜容器８０を上下方向にスライドさせて、突条７４ａと溝８４ａとの嵌合を解くことにより、本体容器７０から尿溜容器８０を取り外すことができる。
【００７３】
図２３は、使用時の尿溜容器８０を示す端面図である。同図に示すように、トイレ７の使用時、尿溜容器８０内には、尿を吸収する吸水材９０が配設される。吸水材９０は、例えば、植物性材料の粉砕物と吸水性ポリマーとの混合物（粉体）からなる。その場合、植物性材料としては、例えば、茶類（茶葉、茶殻等）、又はコーヒー類（コーヒー豆、インスタントコーヒー、コーヒー滓等）を用いることができる。植物性材料としては、各種植物の枝、葉（例えば笹の葉）又は花を用いてもよい。なお、吸水材９０は、吸水性ポリマーのみからなっていてもよい。また、吸水材９０としては、粒状のトイレ用敷材（例えば上記粉体を造粒したもの）、又はシート状のトイレ用敷材（吸水性シート）を用いてもよい。
【００７４】
尿溜容器８０には、収容袋９２が設けられている。収容袋９２は、吸水材９０を収容する袋であり、尿溜容器８０内に設置される。収容袋９２は、底面部８２の上面及び側面部８４の内面の略全体を覆っている。収容袋９２は、側面部８４の上端で折り返されている。この折り返された部分が側面部８４と蓋部８８とで挟まれることにより、収容袋９２が尿溜容器８０に固定されている。
【００７５】
図２４は、収容袋９２を示す正面図である。収容袋９２には、穴部９３が設けられている。穴部９３は、尿を通過させる一方で、吸水材９０は通過させない。本実施形態においては、収容袋９２の少なくとも一部分（開口部８６に重なる領域を含む部分）が網状をしており、当該部分の網目が穴部９３を構成している。図２４においては、収容袋９２の全体が網状をしている例を示している。収容袋９２の材料としては、例えば、ポリエチレン、ポリ塩化ビニル、ナイロン等を用いることができる。
【００７６】
トイレ７の効果を説明する。本体容器７０の側面部７４に開口部７６が設けられている。そして、本体容器７０の底面部７２は、尿が開口部７６まで流れるように傾斜している。このため、本体容器７０内に排泄された尿は、粒状体３０どうしの間を通過した後、底面部７２上を流れて、開口部７６に達する。開口部７６に達した尿は、開口部７６を通過して、本体容器７０の外に排出される。これにより、尿が本体容器７０に残留しないため、尿から発生した臭気が本体容器７０の上部からトイレ７の外に漏れるのを防ぐことができる。したがって、本体容器７０の上部からの臭気漏れを防ぐことのできるトイレ７が実現されている。
【００７７】
底面部７２は、全体が傾斜している。これにより、排泄された尿が底面部７２上のどの位置に落ちても、当該尿を開口部７６まで確実に導くことができる。
【００７８】
開口部７６は、横長の形状をしている。すなわち、開口部７６は、横の長さが大きく、縦の長さが小さい。尿のような液体は、横に広がる性質を有する。それゆえ、開口部７６の横の長さを大きくすることは、多量の尿を迅速に通過させるのに適している。これにより、多量の尿が排泄された場合であっても、当該尿を開口部７６を通じてスムーズに本体容器７０の外に排出することができる。他方、開口部７６の縦の長さを小さくすることは、当該開口部７６を粒状体３０が通過するのを防ぐ上で有利である。
【００７９】
開口部７６の横の長さは、開口部７６が設けられた側面部７４の横幅よりも小さい。すなわち、開口部７６は、側面部７４の左右方向について、側面部７４の一部分にのみ設けられている。これにより、側面部７４の全体にわたって開口部７６を設けた場合に比して、本体容器７０の外に排出された尿から発生した臭気が開口部７６を通じて本体容器７０内に流れ込むのを抑制しやすくなる。かかる観点から、開口部７６の横の長さは、側面部７４の横幅の３分の１以下であることが好ましい。
【００８０】
開口部７６の底面は、本体容器７０の外側に向かって下方に傾斜している。これにより、本体容器７０内に排泄された尿を開口部７６を通じて本体容器７０の外に、よりスムーズに排出することができる。
【００８１】
トイレ７には、尿溜容器８０が設けられている。これにより、開口部７６を通じて本体容器７０の外に排出された尿を容易に処理することができる。
【００８２】
尿溜容器８０は、開口部７６が設けられた側面部７４に略隙間なく接した状態で設置される。これにより、本体容器７０と尿溜容器８０との間に尿を移送するための手段を設けることなく、開口部７６から排出された尿を尿溜容器８０内に直接導くことができる。
【００８３】
側面部８４には、開口部８６が設けられている。これにより、簡易な構成で、開口部７６から排出された尿を尿溜容器８０内に導くことができる。すなわち、開口部７６から排出された尿は、開口部７６と連続する開口部８６を通じて、尿溜容器８０内に流入することになる。また、側面部８４から尿を尿溜容器８０内に取り込めるようになるため、側面部８４の高さを大きくすることができる。側面部８４の高さを大きくすることは、尿溜容器８０の容積を大きくし、より多量の尿を溜められるようになる点で有利である。
【００８４】
開口部８６の底面は、尿溜容器８０の内側に向かって下方に傾斜している。これにより、開口部７６から排出された尿を開口部８６を通じて尿溜容器８０内に、よりスムーズに流入させることができる。
【００８５】
側面部８４の上端は、尿溜容器８０がトイレ７に設置された状態で、開口部７６の上端よりも高い位置にある。これにより、尿溜容器８０内に溜った尿から発生した臭気が開口部７６を通じて本体容器７０内に流れ込むのを抑制することができる。
【００８６】
尿溜容器８０は、底面部８２及び側面部８４で囲まれた空間を上方から覆う蓋部８８を有している。これにより、尿溜容器８０内に溜った尿から発生した臭気が、尿溜容器８０の上部から外に漏れるのを防ぐことができる。
【００８７】
尿溜容器８０は、本体容器７０に対して着脱可能である。これにより、尿溜容器８０に溜った尿の処分や、本体容器７０及び尿溜容器８０の清掃が容易になる。すなわち、本体容器７０から尿溜容器８０を取り外すことにより、尿の処分や清掃を行いやすくなる。
【００８８】
尿溜容器８０には、把手８９が設けられている。これにより、本体容器７０に対する尿溜容器８０の着脱が容易になる。
【００８９】
尿溜容器８０に溜った尿が開口部８６を通じて尿溜容器８０の外に漏れるのを防ぐには、開口部７６（及び開口部８６）の位置が高い方が有利である。かかる観点から、開口部７６の下端の高さｈ１（図１参照）は、３０ｍｍ以上であることが好ましい。
【００９０】
トイレ７の使用時、尿溜容器８０内には、尿を吸収する吸水材９０が配設される。これにより、かかる吸水材９０が設けられていない場合に比して、尿が尿溜容器８０の外に漏れにくくなる。
【００９１】
吸水材９０が植物性材料の粉砕物と吸水性ポリマーとの混合物からなる場合、植物性材料の消臭効果により尿の悪臭を緩和することができる。また、吸水性ポリマーの吸水力により、多量の尿を吸収することができる。
【００９２】
植物性材料として茶類又はコーヒー類を用いた場合、特に優れた消臭効果を得ることができる。また、茶殻やコーヒー滓のような廃棄物を用いた場合、廃棄物を有効活用することができる。
【００９３】
尿溜容器８０には、収容袋９２が設けられている。これにより、尿を吸収した吸水材９０をまとめて収容袋９２ごと尿溜容器８０から取り出すことができる。したがって、尿溜容器８０に溜った尿の処分が一層容易になる。
【００９４】
収容袋９２には、吸水材９０を通過させずに尿を通過させる穴部９３が設けられている。これにより、吸水材９０が収容袋９２の外にこぼれるのを防ぎつつ、開口部８６を通過した尿を収容袋９２内に導くことができる。
【００９５】
収容袋９２の少なくとも一部分が網状をしており、当該部分の網目が穴部９３を構成している。これにより、簡易な構成で、穴部９３を有する収容袋９２を実現することができる。本実施形態のその他の効果は、第１実施形態と同様である。
【００９６】
本発明は、上記実施形態に限定されるものではなく、様々な変形が可能である。例えば、図２５に示すように、粒状体３０の表面における凹部３１の径ｄ２は、当該凹部３１の最大径ｄ３よりも小さくてもよい。このように凹部３１の内部が膨らんだ形状とすることにより、凹部３１の入口の径（径ｄ２）を大きくしなくても、凹部３１内に多量の機能性物質を保持させることができる。
【００９７】
また、上記実施形態において、複数の粒状体３０は、図２６に示すように、相異なる大きさの粒状体３２（第１の粒状体）及び粒状体３４（第２の粒状体）を含んでいてもよい。粒状体３２は第１の直径を有し、粒状体３４は第１の直径よりも小さい第２の直径を有している。第１の直径は、３０ｍｍ以下であることが好ましい。また、第２の直径は、３ｍｍ以上であることが好ましい。
【００９８】
この場合、粒状体３２どうしの隙間に粒状体３４が入り込むことにより、粒状体３０が粒状体３２のみからなる場合に比して、粒状体３０を高密度に敷設することができる。このように粒状体３０を高密度に敷設することにより、粒状体３０上に動物が乗ったときの沈み込みを小さく抑えることができる。これにより、足場が安定するため、排泄する際に動物の足腰にかかる負担が軽減される。
【００９９】
さらに、複数の粒状体３０は、図２７に示すように、粒状体３２及び粒状体３４に加えて、粒状体３６（第３の粒状体）を含んでいてもよい。粒状体３６は、第３の直径を有する。第３の直径は、第１の直径よりも小さくかつ第２の直径よりも大きい。この場合、粒状体３２間の隙間や、粒状体３２と粒状体３４との間の隙間に、粒状体３６が入り込むことになる。このため、粒状体３０を一層高密度に敷設することができる。
【０１００】
上記実施形態においては、粒状体３０の表面に複数の凹部３１が形成された場合を例示した。しかし、粒状体３０の表面には、凹部３１が１つだけ形成されていてもよい。また、粒状体３０の表面に凹部３１を形成することは、必須でない。粒状体３０の表面には、凹部３１が形成されていなくてもよい。
【０１０１】
上記実施形態においては、粒状体３０が球形である場合を例示した。しかし、粒状体３０の形状は、粒状である限り、球以外の形状（例えば、円柱、楕円体、立方体、正四面体等）であってもよい。
【０１０２】
上記実施形態においては、容器１０内に吸水性シート２０が配設された場合を例示した。しかし、吸水性シート２０を設けることは、必須でない。容器１０内には、トイレ用敷材３のみが配設されてもよい。
【０１０３】
上記実施形態においては、容器１０内に仕切部材が設けられていない場合を例示した。しかし、容器１０内には、仕切部材を設けてもよい。その場合、容器１０の内部空間は仕切部材によって上下に区画され、トイレ用敷材３は、仕切部材の上部空間に敷設される。本体容器７０についても同様である。
【０１０４】
上記実施形態において、本体容器７０には、図２８〜図３０に示すように、尿からの臭気の上昇を遮断する遮蔽部材９４，９６が設けられていてもよい。図２９及び図３０は、図２８の本体容器７０を示す平面図である。ただし、図３０においては、遮蔽部材９４の図示を省略している。各遮蔽部材９４，９６は、板状をしており、側面部７４の内面から本体容器７０の内側に張り出している。各遮蔽部材９４，９６は、本体容器７０の内側に向かって下方に傾斜している。また、各遮蔽部材９４，９６の一部は、下方に屈曲している。詳細には、各遮蔽部材９４，９６の先端付近の部分が鉛直方向下向きに屈曲している。遮蔽部材９６は、側面部７４の上下方向について、遮蔽部材９４と底面部７２との間に位置している。遮蔽部材９４は、図２９からわかるように、平面視で、側面部７４の内面の全体にわたって設けられている。すなわち、遮蔽部材９４は、環状に設けられている。それゆえ、遮蔽部材９４で囲まれた部分に開口が生じるが、この開口は、粒状体３０の通過を妨げないように充分な大きさを有している。他方、遮蔽部材９６は、図３０からわかるように、平面視で、側面部７４の内面の一部分（開口部７６が設けられた領域を含む部分）にのみ設けられている。
【０１０５】
かかる遮蔽部材９４，９６を設けることにより、本体容器７０内で尿の臭気の上昇が起こった場合であっても、それを遮断し、本体容器７０の上部からの臭気漏れを抑制することができる。しかも、遮蔽部材９４，９６が本体容器７０の内側に向かって下方に傾斜しているため、各遮蔽部材９４，９６の下面と側面部７４の内面との間の空間に、臭気を閉じ込めることができる。これにより、臭気の遮断効果を高めることができる。さらに、遮蔽部材９４，９６の一部は、下方に屈曲している。このため、遮蔽部材９４，９６によって捕捉された臭気が遮蔽部材９４，９６の外に逃げにくくなる。これにより、臭気の遮断効果を一層高めることができる。また、開口部７６の入口付近は、上方が遮蔽部材９６によって覆われている。これにより、本体容器７０の外に排出された尿からの臭気が開口部７６を通じて本体容器７０内に流れ込んできた場合であっても、当該臭気の上昇を効果的に遮断することができる。かかる遮蔽部材を容器１０に設けてもよいことは、言うまでもない。
【符号の説明】
【０１０６】
１  トイレ
２  トイレ
３  トイレ用敷材
７  トイレ
１０  容器
１０ａ  底面部
１０ｂ  側面部
１２  本体部
１４  引出部
１４ａ  底板
１４ｂ  前板
１４ｃ  先板
１４ｄ  側板
１６  開口部（第１の開口部）
１７  開口部（第２の開口部）
１８  把手
２０  吸水性シート
３０  粒状体
３１  凹部
３２  粒状体（第１の粒状体）
３４  粒状体（第２の粒状体）
３６  粒状体（第３の粒状体）
４０  開閉部
５０  蓋部
６０  板状部材（第２の板状部材）
６２  孔
７０  本体容器
７２  底面部
７２ａ，７２ｂ，７２ｃ  平面
７４  側面部
７４ａ  突条  
７６  開口部（第３の開口部）
８０  尿溜容器
８２  底面部
８４  側面部
８４ａ  溝
８６  開口部
８８  蓋部
８９  把手
９０  吸水材
９２  収容袋
９３  穴部
９４  遮蔽部材
９６  遮蔽部材
【図１】
2016208975.tif 000003
【図２】
2016208975.tif 000004
【図３】
2016208975.tif 000005
【図４】
2016208975.tif 000006
【図５】
2016208975.tif 000007
【図６】
2016208975.tif 000008
【図７】
2016208975.tif 000009
【図８】
2016208975.tif 000010
【図９】
2016208975.tif 000011
【図１０】
2016208975.tif 000012
【図１１】
2016208975.tif 000013
【図１２】
2016208975.tif 000014
【図１３】
2016208975.tif 000015
【図１４】
2016208975.tif 000016
【図１５】
2016208975.tif 000017
【図１６】
2016208975.tif 000018
【図１７】
2016208975.tif 000019
【図１８】
2016208975.tif 000020
【図１９】
2016208975.tif 000021
【図２０】
2016208975.tif 000022
【図２１】
2016208975.tif 000023
【図２２】
2016208975.tif 000024
【図２３】
2016208975.tif 000025
【図２４】
2016208975.tif 000026
【図２５】
2016208975.tif 000027
【図２６】
2016208975.tif 000028
【図２７】
2016208975.tif 000029
【図２８】
2016208975.tif 000030
【図２９】
2016208975.tif 000031
【図３０】
2016208975.tif 000032